(57)【要約】【課題】無線交信内容を録音・再生することができ、異常事態に迅速に対応可能である移動容易な業務用非常時対応無線装置を提供する。【解決手段】移動容易な業務用非常時対応無線装置であって、ケース４８と、ケース４８内に組み込まれる無線部専用スピーカ１８をもつ無線部１４と外部スピーカ４０を動作させるための外部スピーカ駆動アンプ３３を有する外部スピーカ駆動アンプ部３０とを備える基地局電源装置と、基地局電源装置はさらに無線部１４に入力された音声信号を記録媒体に録音する録音部２２と録音部２２に記録された音声信号を再生する再生部２３と録音部２２および再生部２３の動作を制御する制御部２１を備える録音装置部２０を有することとした。【選択図】  図１
2015019309.tif 000002
【特許請求の範囲】
【請求項１】
ケースと、
該ケース内に組み込まれ基地局と移動局の無線機との間で送受信するための無線部専用スピーカーをもつ無線部と、
該ケース内に組み込まれ電力を蓄えるためのバッテリと該無線部に駆動電力を供給し該バッテリに充電電力を供給するＤＣバッテリコントローラと商用電源の交流電力を直流電力に変換して該ＤＣバッテリコントローラに供給するＡＣ／ＤＣコンバータと該商用電源の交流電力を該ＡＣ／ＤＣコンバータに入力するＡＣ入力ケーブルとＤＣ電源から直流電力を前記ＤＣバッテリコントローラに入力するＤＣ入力ケーブルと外部スピーカを動作させるための外部スピーカ駆動アンプを有する外部スピーカ駆動アンプ部とを備える基地局電源装置と、を有する移動容易な業務用非常時対応無線装置において、
さらに前記基地局電源装置は、前記無線部に入力された音声信号を記録媒体に録音する録音部と該録音部に記録された該音声信号を再生する再生部と該録音部および該再生部の動作を制御する制御部を備える録音装置部とを有することを特徴とする移動容易な業務用非常時対応無線装置。
【請求項２】
前記ＤＣ入力ケーブルは、前記ＤＣバッテリコントローラに常時電気的に接続されている請求項１に記載の移動容易な業務用非常時対応無線装置。
【請求項３】
前記ＡＣ入力ケーブルまたは前記ＤＣ入力ケーブルから供給される電力が遮断されたとき、前記バッテリの電力によって点灯するライトを有する請求項１または２に記載の移動容易な業務用非常時対応無線装置。
【請求項４】
さらに、前記移動容易な業務用非常時対応無線装置は表示／入力操作部を備え、
前記表示／入力操作部は、操作画面及び画像を表示する機能並びに操作者が操作指示を入力する機能を含む表示／入力操作装置を有する請求項１〜３のいずれか一項に記載の移動容易な業務用非常時対応無線装置。
【発明の詳細な説明】
【技術分野】
【０００１】
本発明は、基地局と移動局との間で通信を行う業務用無線の無線機を備えた業務用非常時対応無線装置に関し、特に、移動容易な業務用非常時対応無線装置に関する。
【背景技術】
【０００２】
業務用無線の一使用例を、図７および図８にイメージ図で示す。図７の無線システムでは基地局５１とその基地局のエリア内のポータブル無線機５２ａや車載無線機５２ｂが使用される移動局５２との間で通信が行われる。また、図７のシステムに比較して、より広範囲のエリアが対象の場合は 図８のように高所に設置された制御局６０を通して基地局５１と移動局５２との通信を行う。さらに、各地の制御局（例えば、東京−静岡−名古屋…）をネットワーク化することで全国エリアの通信が可能となる。
【０００３】
図７および図８に示す基地局５１は、業務用非常時対応無線装置１０を備えている。この従来の業務用非常時対応無線装置１０としては、例えば、特許文献１に記載されたものがある。
【０００４】
特許文献１に記載された業務用非常時対応無線装置１０は、図６のブロック図に示すように、商用電源であるＡＣ１００Ｖが停電等で供給されなくなった非常時でも基地局としての機能を維持できるように、蓄電池であるバッテリ１３を備えている。商用電源が確保できるときは、業務用非常時対応無線装置１０はＡＣ入力ケーブル１５またはＤＣ入力ケーブルを介して電力を獲得する。しかし、商用電源が確保できないときは、業務用非常時対応無線装置１０はバッテリ１３より電力を獲得する。
【０００５】
また、特許文献１に記載された業務用非常時対応無線装置１０は、図６のブロック図に示すように、ケース内に外部スピーカ駆動アンプ３３を有する外部スピーカ駆動アンプ部３０を組み込んでいる。非常時に移動局あるいは他の基地局との交信情報を周囲の人々に知らせるには、外部スピーカ駆動アンプ部３０の外部スピーカ駆動アンプ３３によって音声信号が増幅される。これによって、外部スピーカを通して移動局や他の基地局との通信内容を同時に周囲の人々に伝達することができる。加えて、この業務用非常時対応無線装置１０を必要な情報を連絡するためのセンタ（基地局）からの連絡手段として用いることができる。
【０００６】
災害等の非常時において、例えば、被害状況や避難場所の指示等の無線交信内容を、周囲の人々に知らせなければならない状況がある。このような場合、無線交信内容を録音することができれば、録音内容を再生することで、繰り返しこの無線交信内容を周囲の人々に知らせることが可能となる。しかし、特許文献１に記載の業務用非常時対応無線装置１０は、録音機能を備えていない。したがって、無線交信内容を録音するためには別途録音装置を用意し、特許文献１に記載の業務用非常時対応無線装置１０に接続しなければならない。これでは、非常時に迅速に対応することは困難である。
【先行技術文献】
【特許文献】
【０００７】
【特許文献１】特開２００８−１７７８６７号公報
【発明の概要】
【発明が解決しようとする課題】
【０００８】
本発明は、上記の問題を解決するためになされたもので、無線交信内容を録音・再生することができ、異常事態に迅速に対応可能である移動容易な業務用非常時対応無線装置を提供することを目的とする。
【課題を解決するための手段】
【０００９】
ケースと、ケース内に組み込まれ基地局と移動局の無線機との間で送受信するための無線部専用スピーカをもつ無線部と、ケース内に組み込まれ電力を蓄えるためのバッテリと無線部に駆動電力を供給しバッテリに充電電力を供給するＤＣバッテリコントローラと商用電源の交流電力を直流電力に変換してＤＣバッテリコントローラに供給するＡＣ／ＤＣコンバータと商用電源の交流電力をＡＣ／ＤＣコンバータに入力するＡＣ入力ケーブルとＤＣ電源から直流電力をＤＣバッテリコントローラに入力するＤＣ入力ケーブルと外部スピーカを動作させるための外部スピーカ駆動アンプを有する外部スピーカ駆動アンプ部とを備える基地局電源装置と、を有する移動容易な業務用非常時対応無線装置において、さらに基地局電源装置は、無線部に入力された音声信号を記録媒体に録音する録音部と録音部に記録された音声信号を再生する再生部と録音部および再生部の動作を制御する制御部を備える録音装置部とを有することを特徴とする。
【００１０】
この構成により、本発明の移動容易な業務用非常時対応無線装置は、受信した無線交信内容を録音することができる。そして、必要に応じてこの録音内容を再生し、外部スピーカを使用することによって、広範囲の多数の人々に基地局と移動局、あるいは他の基地局との無線通信内容を知らせることができる。また、基地局のマイクを使用して必要な情報を録音することもできる。そして、この録音内容を必要に応じて再生し、外部スピーカを通して外部の人々に連絡することもできる。
【００１１】
また、本発明の移動容易な業務用非常時対応無線装置のＤＣ入力ケーブルは、常時ＤＣバッテリコントローラに電気的に接続されていることが望ましい。
【００１２】
この構成により、ＡＣ１００Ｖが使用される通常時にもＤＣ入力ケーブルはケースに接続されているので非常時にあらためて保管場所から取り出して業務用非常時対応無線装置に取り付ける手間がいらず、必要に応じて使用できるので、緊急時に迅速に対応できる。
【００１３】
また、本発明の移動容易な業務用非常時対応無線装置は、ＡＣ入力ケーブルまたはＤＣ入力ケーブルから供給される電力が遮断されたとき、バッテリの電力によって点灯するライトを有することが望ましい。
【００１４】
この構成により、災害時等の非常時に商用電力の供給がたとえ断たれてしまったとしても、暗闇において辺りを照らす光源として使用することができる。
【００１５】
また、本発明の移動容易な業務用非常時対応無線装置は、操作画面及び画像を表示する機能並びに操作者が操作指示を入力する機能を含む表示／入力操作装置を備える表示／入力操作部を有することが望ましい。
【００１６】
この構成により、災害時等の非常時において、操作者は容易にそして迅速に業務用非常時対応無線装置の操作を行うことができる。
【発明の効果】
【００１７】
本発明の移動容易な業務用非常時対応無線装置によれば、別途録音装置を用意することなく、非常時に基地局と移動局あるいは他の基地局との交信内容を録音することができる。したがって、災害時等の非常時において、迅速に対応が可能である。そして、必要に応じてこの録音内容を再生し、外部スピーカを通して周囲の人々に伝達することができる。また、この移動容易な業務用非常時対応無線装置を必要な情報を連絡するためのセンタ（基地局）からの連絡手段として用いることができる。さらに、基地局のマイクを使用して操作者が直接自身の音声を録音することもできるため、災害等の非常時における情報伝達手段・情報録音手段として非常に有用である。
【図面の簡単な説明】
【００１８】
【図１】本発明による移動容易な業務用非常時対応無線装置の第１実施形態を示すブロック図である。
【図２】第１実施形態による移動容易な業務用非常時対応無線装置の外観図のうち前面正面図である。
【図３】第１実施形態による移動容易な業務用非常時対応無線装置の外観図のうち裏面正面図である。
【図４】本発明による移動容易な業務用非常時対応無線装置の第２実施形態を示すブロック図である。
【図５】第２実施形態による移動容易な業務用非常時対応無線装置の外観図のうち前面正面図である。
【図６】従来の業務用非常時対応電源装置のブロック図である。
【図７】業務用無線の一使用例を図示した説明図である。
【図８】業務用無線の一使用例を図示した説明図である。
【発明を実施するための形態】
【００１９】
以下、本発明の実施の形態について、図面に基づいて説明する。なお、各図面において同一箇所は同一符号を使用して説明する。
【００２０】
（第１実施形態）
第１実施形態の移動容易な業務用非常時対応無線装置１について、図１のブロック図を参照して説明する。
【００２１】
図１に示すように、第１実施形態の移動容易な業務用非常時対応無線装置１は、無線部１４と基地局電源装置とを備えている。
【００２２】
無線部１４は、一般に市販されている無線機で構成されても良く、ケース４８から取外し可能である。無線機は、無線機自身にスピーカを内蔵するもの、あるいは無線機自身にはスピーカを内蔵しないもの、どちらも採用できる。
【００２３】
無線部専用スピーカ１８は、無線部１４で受信した音声信号を音声として出力する。また、無線部専用スピーカ１８は、操作者の音声を無線部を介して送信するためのマイクロフォンとしての機能を持つことが望ましい。すなわち、無線部専用スピーカ１８は、マイク／スピーカとして使用されることが望ましい。無線部専用マイク／スピーカ１８は無線機と脱着可能に接続できる。
【００２４】
図１の基地局電源装置は、ＡＣ／ＤＣコンバータ１１、ＤＣバッテリコントローラ１２、バッテリ１３、内部スピーカ１７、ＡＣ入力ケーブル１５、ＤＣ入力ケーブル１６Ａ、外部スピーカ駆動アンプ部３０、録音装置部２０とを有している。また、基地局電源装置の電源スイッチ１２ａ、電源表示ランプ１２ｂ、バッテリ表示ランプ１２ｃ、バッテリ残量メータ１２ｄはケース４８の前面に配設されている。そしてこれらは、ＤＣバッテリコントローラ１２に接続されている。内部スピーカ１７の音量調節は、ケース４８前面に設けられる内部スピーカ音量調整ツマミ１７ａによって行われるが、 図１のブロック図では図示を省略している。
【００２５】
録音装置部２０は、図１に示すようにＣＰＵ（制御部）２１、録音部２２、再生部２３とを有している。録音スイッチ４１、再生スイッチ４２はケース４８に配設されており、録音装置部２０のＣＰＵ２１に接続されている。
【００２６】
外部スピーカ駆動アンプ部３０は、アッテネータ（ＡＴＴ）３１、ＶＯＸ回路３２、外部スピーカ駆動アンプ３３、アンプ電源制御回路３４、アンプ入力制御回路３５、外部制御回路３６とを有している。外部スピーカ音量調整部３３ａはケース４８に設けられ、外部スピーカ駆動アンプ３３と接続している。外部スピーカ駆動アンプ３３の出力はケース４８に設けられた外部スピーカ接続のための外部スピーカコネクタ（ジャック）３３ｃに接続されている。また、外部制御回路３６は外部制御機器を接続するための外部制御機器コネクタ３６ｃに接続されている。
【００２７】
第１実施形態の業務用非常時対応無線装置１の動作について説明する。なお、本発明の業務用非常時対応無線装置１は、図７および図８により業務用無線の一使用例として示されている業務用非常時対応無線装置１０に換えて使用できる。
【００２８】
業務用非常時対応無線装置１は、外部の交流電源あるいは直流電源（例えば、ＡＣ１００Ｖ、ＤＣ１２Ｖ／２４Ｖ）あるいはバッテリ１３のいずれかの電力により動作させることができる。ＡＣ１００Ｖの入力が確保されている時は、入力したＡＣ１００ＶがＡＣ／ＤＣコンバータ１１によってＤＣ電圧に変換される。ＤＣ電圧はＤＣバッテリコントローラ１２に入力され、ＤＣバッテリコントローラ１２において＋１２Ｖとされる。そして、＋１２ＶとされたＤＣ電圧は電力として無線部１４、外部スピーカ駆動アンプ部３０及び録音装置部２０等に供給される。
【００２９】
また、商用電源のＡＣ１００Ｖが停電等で確保できない時は、例えば自動車のシガーソケットからＤＣ電圧（１２Ｖまたは２４Ｖ）をＤＣ入力ケーブル１６Ａを介してＤＣバッテリコントローラ１２に入力する。そして、ＤＣバッテリコントローラ１２で変換された＋１２ＶのＤＣ電圧が電力として無線部１４、外部スピーカ駆動アンプ部３０及び録音装置部２０等に供給される。
【００３０】
このように業務用非常時対応無線装置１が外部の交流電源あるいは直流電源から電力を供給されているときには、これらの電源が無線部１４、外部スピーカ駆動アンプ部３０及び録音装置２０等に電力を供給すると共に、さらにバッテリ１３にも供給し、バッテリ１３を充電することができる。
【００３１】
商用電源のＡＣ１００ＶあるいはＤＣ１２Ｖ／２４Ｖがともに確保できないときには、バッテリ１３の電源からＤＣバッテリコントローラ１２にＤＣ電圧が入力される。ＤＣバッテリコントローラ１２によって変換された＋１２ＶのＤＣ電圧が電力として無線部１４、外部スピーカ駆動アンプ部３０及び録音装置部２０等に供給され、非常時の業務用非常時対応無線装置１を動作させる。本実施形態のバッテリ１３は満充電の状態から約２０時間業務用非常時対応無線装置１を動作させることが可能である。
【００３２】
録音装置部２０は、無線部１４に入力された音声信号を必要に応じて録音し、再生する。
【００３３】
無線部１４に入力される音声信号は、アンテナ１９を介して入力される無線信号であっても良いし、操作者が無線部専用マイク／スピーカ１８を使用して入力したアナログ音声を無線部１４によって変換したデジタル信号であっても良い。無線部１４に入力された音声信号は、制御部であるＣＰＵ２１によって制御される。
【００３４】
ここで、録音操作について説明する。録音操作とは録音を開始し、または、録音を停止する操作のことである。ＣＰＵ２１は、操作者がケース４８に固定されている録音スイッチ４１をＯＮにすることで、録音開始の指示を受ける。録音開始の指示を受けたＣＰＵ２１は、録音部２２に対して録音開始の制御指令を送る。録音部２２は、ＣＰＵ２１からの制御指令に従い、無線部１４に入力された音声信号を録音部２２内のメモリに記憶する。このメモリは、例えば磁気テープやディスクや半導体メモリ等で構成することができる。
【００３５】
ＣＰＵ２１は、操作者がケース４８に固定されている録音スイッチ４１をＯＦＦにすることで、録音停止の指示を受ける。録音停止の指示を受けたＣＰＵ２１は、録音部２２に対して録音停止の制御指令を送る。録音部２２は、ＣＰＵ２１からの制御指令に従い、録音を停止する。
【００３６】
しかし災害等の非常事態の場合、録音スイッチ４１をＯＮにした操作者が、迅速にその場を離れなければならない状況も考えられる。このような場合には、録音操作を行った操作者は録音スイッチ４１をＯＦＦにすることができない。したがって、長時間の音声信号の記録によって録音部２２内のメモリ容量が無くなった場合には、ＣＰＵ２１は録音部２２に録音停止の制御指令を送る。これにより、ＣＰＵ２１は操作者の録音停止の指示を受けなくとも、録音部２２に録音停止の制御指令を送ることができる。すなわち、録音を停止することができる。
【００３７】
次に、再生操作について説明する。再生操作とは、録音部２２内のメモリに記憶された音声の再生を開始し、又は、再生を停止する操作のことである。ＣＰＵ２１は、操作者がケース４８に固定されている再生スイッチ４２をＯＮにすることで、再生開始の指示を受ける。再生スイッチ４２は、外部スピーカ４０による再生、内部スピーカ１７による再生、マイク／スピーカ１８による再生、いずれかを選択しＯＮ／ＯＦＦ操作ができるスイッチである。
【００３８】
操作者より再生スイッチ４２を介して「外部スピーカ４０による再生」の指示を受けたＣＰＵ２１は、「外部スピーカ４０による再生」の制御指令を再生部２３に送る。再生部２３は、ＣＰＵ２１の制御指令に従い録音部２２内のメモリに記憶された音声信号を外部スピーカ駆動アンプ部３０に送る。そして、外部スピーカ駆動アンプ部３０で増幅されたこの音声信号が、外部スピーカ４０によって再生される。このように、外部スピーカ４０によれば、より広範囲の人々に情報を伝達することが可能となる。
【００３９】
操作者より再生スイッチ４２を介して「内部スピーカ１７による再生」の指示を受けたＣＰＵ２１は、「内部スピーカ１７による再生」の制御指令を再生部２３に送る。再生部２３は、ＣＰＵ２１の制御指令に従い録音部２２内のメモリに記憶された音声信号を内部スピーカ１７に送る。そして、内部スピーカ１７によって、録音された音声が再生される。このように、内部スピーカ１７によれば、外部スピーカ等の外部機器を用意する必要がないため、迅速に一定範囲の人々に情報を伝達することができる。
【００４０】
操作者より再生スイッチ４２を介して「無線部専用マイク／スピーカ１８による再生」の指示を受けたＣＰＵ２１は、「無線部専用マイク／スピーカ１８による再生」の制御指令を再生部２３に送る。再生部２３は、ＣＰＵ２１の制御指令に従い録音部２２内のメモリに記憶された音声信号を無線部１４を介して無線部専用マイク／スピーカ１８に送る。そして、無線部専用マイク／スピーカ１８によって、録音された音声が再生される。このように、無線部専用マイク／スピーカ１８によれば、外部スピーカ等の外部機器を用意する必要がないため、迅速に操作者等に情報を伝達することができる。
【００４１】
外部スピーカ駆動アンプ部３０は入力された音声信号を増幅する。すなわち、無線部１４を介して録音装置部２０のＣＰＵ２１に入力された音声信号が、ＣＰＵ２１の制御によりアッテネータ３１を介して外部スピーカ駆動アンプ３３に入力される。外部スピーカ駆動アンプ３３により増幅された音声信号は、外部スピーカ接続端子である外部スピーカジャック３３ｃに出力している。そして、外部スピーカジャック３３ｃに外部スピーカ４０を接続することにより、基地局と移動局との交信状況を外部スピーカ４０から周囲の人々に伝達することができる。
【００４２】
また、操作者が無線部専用マイク／スピーカ１８を使用した場合は、操作者の音声が無線部１４にて音声信号に変換され、録音装置部２０のＣＰＵ２１に入力される。そして、ＣＰＵ２１の制御によって音声信号がアッテネータ３１を介して外部スピーカ駆動アンプ３３に入力される。外部スピーカ駆動アンプ３３により増幅された音声信号は、外部スピーカ接続端子である外部スピーカジャック３３ｃに出力している。したがって、外部スピーカ４０を外部スピーカジャック３３ｃに接続することで、業務用非常時対応無線装置１を拡声器として使用することができる。すなわち、操作者の声を周囲の人々に確実に伝達することができる。
【００４３】
外部スピーカ４０の音量調整は、ケース４８に固定され、外部スピーカ駆動アンプ３３に接続されている外部スピーカ音量調整部３３ａのツマミを回転させて調節する（ 図２（ａ）参照）。ツマミを反時計方向に回転させ音量を絞りこめば外部スピーカの音を消すことも可能である。この外部スピーカ駆動アンプ３３の出力は１０Ｗであるが、好ましい出力の範囲は１０〜６０Ｗであり、より好ましい出力の範囲は１０〜３０Ｗである。このように、外部スピーカ駆動アンプ３３の出力を設定する事で、より広範囲の人々に音声を伝達することが可能となる。
【００４４】
なお、上記の無線部１４からの音声信号のレベルをもとに、ＶＯＸ回路３２により外部スピーカ駆動アンプ３３への電力の供給をＯＮ／ＯＦＦするアンプ電源制御回路３４、外部スピーカ駆動アンプ３３への音声信号入力をＯＮ／ＯＦＦするアンプ入力制御回路３５、外部制御機器の動作を制御する外部制御回路３６の制御を行っている。外部制御機器コネクタ３６ｃに接続され制御される外部制御機器はフラッシングライト、ブザー及び構内放送機器の外部入力ＯＮ／ＯＦＦ回路等である。
【００４５】
ＤＣ入力ケーブル１６Ａは、常時、業務用非常時対応無線装置１に接続されてＤＣバッテリコントローラ１２に電気的につながっている。ＤＣ入力ケーブル１６Ａは通常は使用されないので業務用非常時対応無線装置１裏面のケーブルクランプ（不図示）に巻き付けてあり、非常時に引き延ばし先端のコネクタ（シガレットプラグ）１６ａを車両等のシガライタジャックに接続するようになっている。しかし、装置内にリールを設け通常使用しないときはリールに巻き込み保管しておき、非常時にリールから引き出して使用するようにしてもよい。
【００４６】
ライト４３は、ケース４８前面に設けられている。ライト４３は、ＡＣ入力ケーブルまたはＤＣ入力ケーブルからの電力供給が遮断された場合、バッテリ１３の電力により点灯する。ライト４３は、消費電力が少ないＬＥＤライトを使用するのが好ましいが、これに限定されない。ライト４３が設けられることにより、災害時等の非常時に電力供給が断たれた場合であっても、夜間等暗闇で明かりを確保することができる。さらに、消費電力の少ないＬＥＤライトを使用することで長時間の明かりを確保することが可能となる。
【００４７】
（第２実施形態）
第２実施形態の移動容易な業務用非常時対応無線装置２について、図４のブロック図を参照して説明する。第２実施形態では、表示／入力操作部４７を設け、本発明の移動容易な業務用非常時対応無線装置２の操作を表示／入力操作部４７により行う点で第１実施形態と異なる。したがって、異なる部分について説明し、第１実施形態と同様の構成については同符号を付して説明を省略する。
【００４８】
図４に示すように、表示／入力操作部４７は、表示／入力操作装置４４、タッチパネル制御部４５、ディスプレイ制御部４６とを備えている。なお、第２実施形態では、録音装置部２０のＣＰＵ２１が、録音装置部２０の制御のみならず、表示／入力操作部４７の全体も制御する。つまり、ＣＰＵ２１には録音装置部２０を制御する制御プログラムと表示／入力操作部４７を制御する制御プログラムが組み込まれている。
【００４９】
表示／入力操作装置４４は、タッチパネルおよびディスプレイを有しており、ディスプレイの上に重ねてタッチパネルが配置され、ディスプレイとタッチパネルが一体的になっている。
【００５０】
タッチパネルは透明であり、ディスプレイの画面表示を透過し、操作者の指などの接触だけでなく接近（接触せずに所定の距離まで近づいたことを意味するものとする）も検知可能である。ここで、操作者の指などとは、操作者の指以外の生体部位やタッチパネルに対応したスタイラス（ペン状の指示棒）等を含むものとする。タッチパネルに対するタッチ操作の位置読み取り方式は、抵抗膜方式、静電容量方式、電磁誘導方式、磁気歪方式、感圧方式等があるが、本発明はいずれにも限定されない。タッチパネルに対する操作者のタッチ操作は、タッチパネル制御部４５により検知・制御され、ＣＰＵ２１に検知情報が送られる。
【００５１】
ディスプレイは、ＣＰＵ２１から画像表示の制御指令を受けたディスプレイ制御部４６が供給する操作画面および画像を表示する。ここで操作画面および画像とは、図や絵のようなアニメーションのみならず、文字も含まれるものとする。ディスプレイは、例えばＬＣＤ，有機ＥＬディスプレイなどからなるが特に限定されない。
【００５２】
表示／入力操作装置４４は、ＤＣバッテリコントローラ１２と接続しており、電力を確保する。
【００５３】
第２実施形態の業務用非常時対応無線装置２の動作について説明する。なお、本発明の業務用非常時対応無線装置２は、図７および図８により業務用無線の一使用例として示されている業務用非常時対応無線装置１０に換えて使用できる。
【００５４】
操作者は、表示／入力操作装置４４のタッチパネルに操作者の指などを接近または接触させる。タッチパネルが操作者の指などの接近または接触を検知すると、その検知情報をタッチパネル制御部４５が読み取り、タッチパネル制御部４５がＣＰＵ２１に制御指令を送る。タッチパネル制御部４５から制御指令を受けたＣＰＵ２１は、ＤＣバッテリコントローラ１２に電力供給の制御指令を送る。指令を受けたＤＣバッテリコントローラ１２は表示／入力操作装置４４に電力を供給する。商用電源からの電力供給が確保されているときは、ＡＣ入力ケーブル１５より電力が供給され、商用電源からの電力供給が確保できないときは、ＤＣ入力ケーブル１６Ａあるいはバッテリ１３より電力が供給される
また、タッチパネル制御部４５から指令を受けたＣＰＵ２１は、ディスプレイ制御部４６に画像表示の制御指令を送る。そして、ＣＰＵ２１から画像表示の制御指令を受けたディスプレイ制御部４６は、ディスプレイに操作画面を供給する。
【００５５】
これにより、表示／入力操作装置４４のディスプレイには操作画面が表示される。そして、操作者はこの操作画面にしたがって希望の操作をタッチ操作にて行うことができる。
【００５６】
第２実施形態によれば、災害等の非常時において商用電源が遮断された状況においても、バッテリ１３を備えているため電力供給を確保することができる。したがって、災害等の非常時においても、表示／入力操作装置４４に電力を供給することが可能である。すなわち、操作者は第２実施形態の業務用非常時対応無線装置２の操作を表示／入力操作装置４４を用いて操作可能となる。
【００５７】
第２実施形態によれば、操作者は表示／入力操作装置４４のタッチパネルのタッチ操作をすることで、第２実施形態の業務用非常時対応無線装置２のあらゆる操作を行うことができる。例えば、操作者は、基地局電源装置の電源入力操作、録音操作、再生操作、外部スピーカの音量調節等の操作を、表示／入力操作装置４４にて行うことが可能となる。これらの操作を選択肢とし、選択肢それぞれに対応する複数のボタンがマトリックス状に配置され、表示／入力操作装置４４のディスプレイに操作画面として表示される。そして、操作者は希望する選択肢のボタンをタッチ操作することで、希望の操作が可能となる。
【００５８】
第２実施形態によれば、表示／入力操作装置４４によって、電源表示ランプ、バッテリ表示ランプ、バッテリ残量メータ等の表示を画像として表すことができる。例えば、表示／入力操作装置４４が起動し、ディスプレイに操作画面が表示される初期画面に、電源表示ランプ、バッテリ表示ランプ、バッテリ残量メータ等の画像を表示することが望ましい。また、電源表示ランプ、バッテリ表示ランプ、バッテリ残量メータ等の表示を操作画面のマトリックス状に配置される選択肢の１つとしてもよい。この場合では、操作者が選択肢のボタンをタッチすることで電源表示ランプ、バッテリ表示ランプ、バッテリ残量メータ等が表示される。このように、それぞれ操作箇所・表示箇所としてケース４８に設けられていた部品は、表示／入力操作装置４４で操作および表示することができるため、ケース４８に配設する必要がなくなる。すなわち、部品点数を減らすことができる。
【００５９】
さらに、第２実施形態によれば、操作者は表示／入力操作装置４４に表示される操作画面に従って操作することができるため、操作が容易であり、操作ミスを減らすことができる。つまり、災害等の非常時においても、操作を迅速に行うことができるため非常に有用である。
【００６０】
（変形例）
以上、本発明に係る実施形態について説明したが、本発明の範囲はこれに限定されるものではなく、発明の要旨を逸脱しない範囲で種々に変更が可能であることはいうまでもない。変更の例をいくつか以下に示す。
【００６１】
ライト４３は、ＡＣ入力ケーブルまたはＤＣ入力ケーブルからの電力供給が遮断された場合、バッテリ１３の電力により点滅する形態であってもよい。このような形態であれば、災害時において、本発明の業務用非常時対応無線装置１（２）が瓦礫の下敷き等によって見つかりにくい場所に存在する場合であっても、点滅する光によってより発見されやすくなる。
【００６２】
表示／入力操作装置４４は、ケース４８の天井面に設ける形態であってもよい。このような形態であれば、本発明の業務用非常時対応無線装置２が操作者の背の高さより低い位置に置かれた場合においても、操作者はケース４８の天井面を見ることで容易に表示／入力操作装置４４を操作することができる。
【００６３】
無線部１４を構成する無線機は、アンテナ、スピーカ／マイク、バッテリ、アンプ等を備えるものであって、ケースから取り外した場合であっても無線機として使用することができる形態であってもよい。すなわち、無線部１４にはアンテナ、スピーカ／マイク、バッテリ、アンプ等が含まれる形態であってもよい。
【符号の説明】
【００６４】
１：業務用非常時対応無線装置（第１実施形態）
２：業務用非常時対応無線装置（第２実施形態）
１０：業務用非常時対応無線装置（従来例）
１１：ＡＣ／ＤＣコンバータ
１２：ＤＣバッテリコントローラ
１２ａ：電源スイッチ  １２ｂ：電源表示ランプ  １２ｃ：バッテリ表示ランプ
１２ｄ：バッテリ残量メータ
１３：バッテリ
１４：無線部  １４ｃ：無線部専用マイク／スピーカジャック
１５：ＡＣ入力ケーブル
１６、１６Ａ：ＤＣ入力ケーブル  １６ａ：コネクタ
１７：内部スピーカ  １７ａ：内部スピーカ音量調節ツマミ
１８：無線部専用マイク／スピーカ
１９：アンテナ  １９ａ：アンテナコネクタ
２０：録音装置部
２１：ＣＰＵ（制御部）
２２：録音部
２３：再生部
３０：外部スピーカ駆動アンプ部
３１：アッテネータ
３２：ＶＯＸ回路
３３：外部スピーカ駆動アンプ
３３ａ：外部スピーカ音量調整ツマミ  ３３ｃ：外部スピーカコネクタ
３４：アンプ電源制御回路
３５：アンプ入力制御回路
３６：外部制御回路  ３６ｃ：外部制御機器コネクタ
４０：外部スピーカ
４１：録音スイッチ
４２：再生スイッチ
４３：ライト
４４：表示／入力操作装置
４５：タッチパネル制御部
４６：ディスプレイ制御部
４７：表示／入力操作部
４８：ケース
５１：基地局
５１ａ：送受信アンテナ
５２：移動局
５２ａ：ポータブル無線機  ５２ｂ：車載無線機
６０：制御局
【図１】
2015019309.tif 000003
【図２】
2015019309.tif 000004
【図３】
2015019309.tif 000005
【図４】
2015019309.tif 000006
【図５】
2015019309.tif 000007
【図６】
2015019309.tif 000008
【図７】
2015019309.tif 000009
【図８】
2015019309.tif 000010